(57)【要約】【課題】釣り師の手間を要さず釣り餌に対し蛍光剤を付加する手段を提供する。【解決手段】水と、水に対する混和性を有する有機溶剤であるプロピレングリコールと、水および有機溶剤に対する混和性を有する蛍光剤を混和し、釣り餌加工剤を生成する。ただし、この蛍光剤は太陽光の励起によりスペクトルのピークが４００〜５００ナノメートルの範囲内である蛍光を発光する蛍光剤である。そのようにして生成された釣り餌加工剤が生餌に噴霧されると、生餌に蛍光剤が入り込み、そこに定着する。そのため、釣り師は釣り餌加工剤の噴霧により、太陽光を受けて魚の興味を惹きやすい特定の波長帯の光を蛍光発光する生餌を容易に作ることができる。【選択図】なし【特許請求の範囲】
【請求項１】
水と、
水との混和性を有する有機溶剤と、
水と混和し、太陽光に励起され蛍光発光を行う蛍光剤と
を含む釣り餌加工剤。
【請求項２】
前記蛍光剤は、前記有機溶剤に混和する
請求項１に記載の釣り餌加工剤。
【請求項３】
前記釣り餌加工剤に含まれる水の前記釣り餌加工剤に対する重量比が０．７以上である
請求項１または２に記載の釣り餌加工剤。
【請求項４】
前記釣り餌加工剤に含まれる有機溶剤の前記釣り餌加工剤に対する重量比が０．０４以下かつ０．００５以上である
請求項１乃至３のいずれかに記載の釣り餌加工剤。
【請求項５】
前記蛍光剤により発光される蛍光のスペクトルのピークの波長が４００ナノメートル以上かつ５００ナノメートル以下である
請求項１乃至４のいずれかに記載の釣り餌加工剤。
【請求項６】
前記蛍光剤は太陽光に含まれる可視光のうち特定の波長帯の光を吸収する
請求項１乃至５のいずれかに記載の釣り餌加工剤。
【請求項７】
前記釣り餌加工剤は、太陽光に含まれる可視光のうち特定の波長帯の光を吸収する色素を含む
請求項１乃至５のいずれかに記載の釣り餌加工剤。
【発明の詳細な説明】
【技術分野】
【０００１】
本発明は、釣り餌（ルアー（疑似餌）を含む、以下同じ）の加工剤に関し、より詳しくは釣り餌に蛍光発光を行う蛍光剤を付加する加工剤に関する。
【背景技術】
【０００２】
魚類の多くは、人間の眼が感知できない紫外線を感知する眼を持っていることが知られている。そのため、釣り餌に紫外線発光を行う機能を持たせることにより、魚類の注意を釣り餌に向け、魚が釣り餌に食いつく確率を高める技術が提案されている（例えば、特許文献１）。
【先行技術文献】
【特許文献】
【０００３】
【特許文献１】特開２００２−０６５１１５公報
【発明の概要】
【発明が解決しようとする課題】
【０００４】
釣りにはターゲットの魚の種類や天候等に応じて様々な釣り餌が用いられる。従って、状況に応じて釣り餌を適切に選択する能力は釣り師に求められる重要な能力の一つである。優れた釣り師は、常日頃から釣り餌の研究を熱心に行い、多くの経験や知識を蓄積している。
【０００５】
そのように蓄積されている釣り餌に関する経験や知識を活かしつつ、特定の波長帯の光により魚の注意を惹くことができれば、魚が釣り餌に食いつく確率をさらに高めることができ、望ましい。そのため、釣り師が既に所持するルアーに対し特定波長帯の光の発光機能（以下、単に「蛍光機能」と呼ぶ）を付加したり、活き餌（生きている餌）や死んだ生餌（以下、これらを総称して「生餌」と呼ぶ）に対し蛍光機能を付加したりする手段が望まれる。
【０００６】
釣り餌に対し蛍光機能を付加する手段として、太陽光に励起され蛍光発光を行う蛍光剤を付加することが考えられる。そのように蛍光剤の付加された釣り餌は、太陽光を受ける限り水中にあっても特定波長帯の蛍光発光を行い、魚の関心を惹きつける。
【０００７】
ただし、釣り餌は長時間水中に置かれるものである。また、ルアー釣りの場合、ルアーは幾度となく水中に投げ入れられては水中から引き上げられる。従って、釣り餌に付加される蛍光剤には相応の耐水性が求められる。もしその耐水性が十分でなければ、釣り師は頻繁に釣り餌を水中から引き上げては蛍光剤の付加を繰り返す必要があり不便である。
【０００８】
一方、一般的に耐水性が高い塗料は塗布前に塗布面の水分を除去する必要があり、水分の除去が不十分であると塗布面に塗料が付着しなかったり、付着してもすぐに剥がれたりする。従って、そのような塗料を水分の除去ができない生餌に用いても、すぐに剥がれてしまう。また、ルアーに対しそのような塗料を塗布する場合、もしその耐水性が十分でなく一定の頻度で塗料の再塗布を行う必要がある場合、そのたびに釣り師はルアー表面の水分を拭き取る必要があり手間である。
【０００９】
上記の課題に鑑み、本発明は釣り師の手間を要さず釣り餌に対し蛍光剤を付加する手段を提供することを目的とする。
【課題を解決するための手段】
【００１０】
上記課題を達成するために、本発明は、
水と、
水との混和性を有する有機溶剤と、
水と混和し、太陽光に励起され蛍光発光を行う蛍光剤と
を含む釣り餌加工剤
を提供する（第１の実施態様）。
【００１１】
上記第１の実施態様の好ましい態様において、
前記蛍光剤は、前記有機溶剤に混和する
構成としてもよい（第２の実施態様）。
【００１２】
上記第１または第２の実施態様において、
前記釣り餌加工剤に含まれる水の前記釣り餌加工剤に対する重量比が０．７以上である
構成としてもよい（第３の実施態様）。
【００１３】
上記第１乃至第３のいずれかの実施態様において、
前記釣り餌加工剤に含まれる有機溶剤の前記釣り餌加工剤に対する重量比が０．０４以下かつ０．００５以上である
構成としてもよい（第４の実施態様）。
【００１４】
上記第１乃至第４のいずれかの実施態様において、
前記蛍光剤により発光される蛍光のスペクトルのピークの波長が４００ナノメートル以上かつ５００ナノメートル以下である
構成としてもよい（第５の実施態様）。
【００１５】
上記第１乃至第５のいずれかの実施態様において、
前記蛍光剤は太陽光に含まれる可視光のうち特定の波長帯の光を吸収する
構成としてもよい（第６の実施態様）。
【００１６】
上記第１乃至第５のいずれかの実施態様において、
前記釣り餌加工剤は、太陽光に含まれる可視光のうち特定の波長帯の光を吸収する色素を含む
構成としてもよい（第７の実施態様）。
【発明の効果】
【００１７】
本発明の第１の実施態様にかかる釣り餌加工剤によれば、釣り餌表面の水分を除去することなく、釣り餌に対しある程度の耐水性を備えた蛍光剤の付加を行うことができる。
【００１８】
本発明の第２の実施態様にかかる釣り餌加工剤によれば、例えば有機溶剤により溶けた樹脂製ルアーの表面に蛍光剤が入り込み、そこに定着されるため、樹脂製ルアーに対し高い耐水性を備えた蛍光剤の付加を行うことができる。
【００１９】
本発明の第３の実施態様にかかる釣り餌加工剤によれば、釣り餌加工剤全体に対する水の比率が７０％以上と高いため、多くの有機溶剤が有するべたつきや臭いによる取り扱いの不便さや不快感が軽減される。
【００２０】
本発明の第４の実施態様にかかる釣り餌加工剤によれば、釣り餌加工剤全体に対する有機溶剤の比率が４％以下と低いため、多くの活き餌に関し、蛍光剤の付加を行っても活き餌を殺さないことが可能となる。
【００２１】
本発明の第５の実施態様にかかる釣り餌加工剤によれば、ユーザは多くの魚の興味を惹きやすい４００〜５００ナノメートルの波長帯の蛍光発光を行う釣り餌を作ることができる。
【００２２】
本発明の第６もしくは第７の実施態様にかかる釣り餌加工剤によれば、蛍光発光による発色に加え、特定波長帯の光の吸収による発色を行う釣り餌を作ることができる。従って、ユーザは釣り餌の使用時刻や天候、ターゲットの魚の種類等に応じて適する色の釣り餌を選択することにより、魚の食いつきの確率を高めることができる。
【発明を実施するための形態】
【００２３】
［１．第１実施形態］
本発明の第１実施形態にかかる釣り餌加工剤１は、例えば次のように製造される。４００ｃｃの水、１００ｃｃのプロピレングリコール、スチルベン系蛍光増白剤０．５ｇを混合する。
【００２４】
なお、プロピレングリコールは水に対する混和性を有する有機溶剤である。また、釣り餌加工剤１に用いられるスチルベン系蛍光増白剤は水に対する混和性を有するが有機溶剤に対する混和性を有さない蛍光剤であり、約３００〜４００ナノメートルの波長帯の光に励起され、約４００〜５００ナノメートルの波長帯の蛍光を発光する特性を備えている。言い換えれば、釣り餌加工剤１に用いられるスチルベン系蛍光増白剤により発光される蛍光のスペクトルのピークは、４００〜５００ナノメートルの波長帯の範囲内にある。ここで、４００〜５００ナノメートルという波長帯の光は、多くの魚の興味を惹きやすい光の一例であって、魚の種類等に応じて他の波長帯の光を蛍光発光する蛍光剤が釣り餌加工剤１に用いられてもよい。
【００２５】
釣り餌加工剤１は死んだ生餌に対する使用に適している。釣り餌加工剤１に死んだ生餌を３０分程漬け込むと、生餌の表皮が有機溶剤であるプロピレングリコールにより破壊され、破壊された表皮の隙間から蛍光剤が生餌の内部に入り込み、そこに留まる。
【００２６】
上記のように生餌の内部に入り込んだ蛍光剤の多くは、生餌が水中に投げ込まれた後も生餌から外部の水に流れ出さずにそこに留まる。そのため、生餌が水中で太陽光を受けると、生餌の内部に留まっている蛍光剤が太陽光に励起され蛍光発光を行う。その結果、魚の興味が生餌に惹かれやすくなり、生餌に対する魚の食いつきが行われることが期待される。
【００２７】
上記のように、釣り餌加工剤１は水に対する混和性を有する有機溶剤と、同じく水に対する混和性を有する蛍光剤を含んでいるため、釣り師は生餌を釣り餌加工剤１に漬け込む等することにより、容易に生餌の内部に蛍光剤を付加することができる。
【００２８】
また、釣り餌加工剤１に含まれる有機溶剤は釣り餌加工剤全体に対し重量比で約２０％と比較的少量であるため、例えばプロピレングリコールを重量比で５０％含む釣り餌加工剤と比較し、プロピレングリコールが持つべとつき感が少なく、釣り師にとって取り扱いやすい。
【００２９】
なお、プロピレングリコールは上述したように蛍光剤が釣り餌へ定着することを助ける役割を果たすことに加え、使用前の生餌が乾燥することを防ぐ役割も果たす。
【００３０】
［２．第２実施形態］
本発明の第２実施形態にかかる釣り餌加工剤２は、例えば次のように製造される。４００ｃｃの水、１００ｃｃのプロピレングリコール、クマリン系蛍光増白剤１．５ｇを混合する。
【００３１】
なお、釣り餌加工剤２に用いられるクマリン系蛍光増白剤は水に対する混和性を有するとともに、有機溶剤に対する混和性も有している蛍光剤であり、釣り餌加工剤１に用いられるスチルベン系蛍光増白剤と同様に約３００〜４００ナノメートルの波長帯の光に励起され、約４００〜５００ナノメートルの波長帯の蛍光を発光する特性を備えている。言い換えれば、釣り餌加工剤２に用いられるクマリン系蛍光増白剤により発光される蛍光のスペクトルのピークは、４００〜５００ナノメートルの波長帯の範囲内にある。
【００３２】
釣り餌加工剤２は、釣り餌加工剤１と同様に死んだ生餌に対する使用に適している。なぜなら、釣り餌加工剤２に含まれる蛍光剤は水に対する混和性を有しているため、生餌の内部に入り込み、そこに定着するためである。
【００３３】
ところで、釣り餌加工剤１はルアーに対する使用には適していない。ルアーには水分が含まれないため、水に対する混和性のみを有する蛍光剤はルアーに留まることができないためである。
【００３４】
これに対し、釣り餌加工剤２に含まれる蛍光剤は有機溶剤に対する混和性を有している。一方、ルアーの多くは少なくとも表面が樹脂でできている。従って、それらのルアーに対し釣り餌加工剤２を噴霧等した場合、ルアー表面の樹脂が有機溶剤により溶け、釣り餌加工剤２に含まれる蛍光剤が溶けた樹脂に混和し、そこに定着する。その結果、表面が樹脂でできているルアーに対し釣り餌加工剤２を用いると、太陽光を受けて蛍光発光を行うルアーが作られる。
【００３５】
［３．第３実施形態］
本発明の第３実施形態にかかる釣り餌加工剤３は、例えば次のように製造される。５００ｃｃの水、５〜１０ｃｃのプロピレングリコール、クマリン系蛍光増白剤１．５ｇを混合する。
【００３６】
なお、釣り餌加工剤３に用いられるクマリン系蛍光増白剤の特性は、釣り餌加工剤２に用いられるクマリン系蛍光増白剤に関し上述したものと同様である。
【００３７】
釣り餌加工剤３は、釣り餌加工剤２と同様に死んだ生餌と表面が樹脂でできているルアーに対する使用に適している。なぜなら、釣り餌加工剤３に含まれる蛍光剤は水に対する混和性と有機溶剤に対する混和性とを両方有しているため、生餌の内部に入り込みそこに定着することも、有機溶剤により溶かされたルアー表面の樹脂に混和しそこに定着することもできるためである。
【００３８】
ところで、釣り餌加工剤１および釣り餌加工剤２のいずれも、活き餌に対する使用には適していない。それらの釣り餌加工剤に含まれる有機溶剤の濃度が高く、活き餌の体内の組織を破壊するためである。すなわち、釣り餌加工剤１もしくは釣り餌加工剤２が活き餌に対し噴霧等されると、活き餌は間もなく死に絶え、死んだ生餌となってしまう。
【００３９】
これに対し、釣り餌加工剤３に含まれる有機溶剤の濃度は約１〜２％であり、多くの活き餌に関し、活き餌の体内の組織を破壊することはない。従って、釣り餌加工剤３が噴霧等された活き餌は、その後も死に絶えることなく動き回ることができる。
【００４０】
釣り餌加工剤３に含まれる蛍光剤は、有機溶剤による破壊により表皮の表面側に作られた隙間に入り込み、そこに定着する。また、活き餌の毛穴等から活き餌の体内に入り込み、体内に留まる。そのように活き餌に付加された蛍光剤の多くは、活き餌が水中に投げ入れられた後も外部の水に流れ出すことなくそこに留まる。従って、釣り師は活き餌に釣り餌加工剤３を噴霧等することにより、容易に水中で太陽光を受けて魚の興味を惹きやすい特定波長帯の蛍光を発する活き餌を作ることができる。
【００４１】
［４．変形例］
上述した実施形態は本発明を説明するための一例であり、本発明の技術的思想の範囲内で様々に変形可能である。以下にそのような変形の例を示す。
【００４２】
上述した実施形態にかかる釣り餌加工剤が含む蛍光剤は、可視光のうち特定の波長帯の光を吸収し特定の色を有するものであってもよい。もしくは、上述した実施形態にかかる釣り餌加工剤は、水、有機溶剤、蛍光剤に加え、特定の色を示す色素を含むようにしてもよい。そのような釣り餌加工剤は、太陽光の下で、蛍光発光による蛍光色に加え、その吸収する波長帯に応じて、例えば赤、紫、黄色、オレンジ、緑等の色を示す。
【００４３】
上記のような有色の釣り餌加工剤により加工された釣り餌は、蛍光発光により魚の興味を惹きつける機能に加え、魚にとって特定の色に見えることにより魚の興味を惹きつける機能を有する。いずれの色が適するかは、ターゲットの魚の種類、天候、時刻、水深等により異なる。従って、釣り師は、例えば曇り時には紫色を用い、晴れの時には赤色を用いるなど、置かれた状況に応じて、自分の知識や経験に基づき、いずれの色の釣り餌加工剤を用いるかを決定することになる。
【００４４】
なお、本発明において利用可能な蛍光剤の例を以下に示す。
（無色で蛍光発光するもの）
・陰イオン型水溶性蛍光染料（スチルベン型ほか）
・陽イオン型水溶性蛍光染料（クマリン型ほか）
（有色で蛍光発光するもの）
・陰イオン型水溶性有色蛍光染料（蛍光発光する酸性染料と食用色素）
・陽イオン型水溶性有色蛍光染料（蛍光発光する塩基性染料）
【００４５】
また、上述した実施形態にかかる釣り餌加工剤が含む有機溶剤はいずれもプロピレングリコールであるものとしたが、プロピレングリコールに代えて、水に対する混和性を有する有機溶剤であればいずれの有機溶剤を用いてもよい。そのような有機溶剤としては、例えば、エタノールやプロパノールなどのアルコール類、ジエチレングリコールやグリセリンなどの多価アルコール類、ピロリドン系溶媒などがある。
【００４６】
上述した実施形態において示した数値は例示であって、それらの数値に限定されるべきではない。例えば、実施形態１における釣り餌加工剤１および実施形態２における釣り餌加工剤２が含む水の全体に対する重量比は約８０％であるものとしているが、有機溶剤に例えばプロピレングリコールを採用した場合のべとつき感や、有機溶剤に例えばエタノールを採用した場合の臭いによる不快感を多くのユーザにとって気にならない程度に低減させるためには、水の全体に対する重量比を約７０％以上の任意の値とすることが望ましい。
【００４７】
また、例えば、実施形態３における釣り餌加工剤３が含む有機溶剤の全体に対する重量比は約１〜２％であるものとしているが、有機溶剤が多くの活き餌の表皮を体内に至らない程度に破壊するようにするには、有機溶剤の全体に対する重量比を約４％以下かつ約０．５％以上の任意の値とすることが望ましい。
【産業上の利用可能性】
【００４８】
本発明にかかる釣り餌加工剤は釣り餌の効果を高めることができるため、多くの釣り師にとって利用価値がある。